(57)【要約】【課題】  剛性が高く、成形性がよく、さらには、光軸ずれに対して許容範囲が広いレンチキュラーレンズシートを提供すること。【解決手段】  本発明にかかるレンチキュラーレンズシート１は、背面投写型スクリーンにおいて最も出射面側に設けられる。そして、このレンチキュラーレンズシート１は、入射面側に垂直方向に映像光を拡散させる垂直視野角形成用レンズ１１と、出射面側に水平方向に映像光を拡散させる水平視野角形成用レンズ１２を設けている。シート厚みは、０．４ｍｍ以上２．０ｍｍ以下とすることが好ましい。また、垂直視野角形成用レンズ１１のピッチを０．４ｍｍ以下とし、水平視野角形成用レンズ１２のピッチを０．４ｍｍ以下とすることが望ましい。【選択図】図１
2007156140.tif 000002
【特許請求の範囲】
【請求項１】
背面投写型スクリーンにおいて最も出射面側に設けられるレンチキュラーレンズシートであって、
入射面側に設けられ、垂直方向に映像光を拡散させる垂直視野角形成用レンズと、
出射面側に設けられ、水平方向に映像光を拡散させる水平視野角形成用レンズとを備え、
前記垂直視野角形成用レンズの頂点と前記水平視野角形成用レンズの頂点の間の距離により表わされるシート厚みを０．４ｍｍ以上２．０ｍｍ以下とし、
前記垂直視野角形成用レンズのピッチを０．４ｍｍ以下とし、
前記水平視野角形成用レンズのピッチを０．４ｍｍ以下としたレンチキュラーレンズシート。
【請求項２】
前記シート厚みを０．４ｍｍ以上１．４ｍｍ以下としたことを特徴とする請求項１記載のレンチキュラーレンズシート。
【請求項３】
前記垂直視野角形成用レンズのレンズピッチを０．３ｍｍ以下としたことを特徴とする請求項１又は２記載のレンチキュラーレンズシート。
【請求項４】
前記水平視野角形成用レンズのレンズピッチを０．３ｍｍ以下としたことを特徴とする請求項１、２又は３記載のレンチキュラーレンズシート。
【請求項５】
出射面側の映像光の非透過部分に外光吸収層を設け、
前記出射面に対する外光吸収層の比率を５０％以上としたことを特徴とする請求項１〜４いずれかに記載のレンチキュラーレンズシート。
【請求項６】
前記レンチキュラーレンズシートの内部に拡散層を設けたことを特徴とする請求項１〜５いずれかに記載のレンチキュラーレンズシート。
【請求項７】
請求項１〜６いずれかに記載のレンチキュラーレンズシートと、
入射面に水平方向に映像光を拡散させる水平視野角形成用レンズが形成され、出射面にフレネルレンズが形成されたフレネルレンズシートを備え、前記レンチキュラーレンズシートを前記フレネルレンズシートの出射面側に配置した背面投写型スクリーン。
【発明の詳細な説明】
【技術分野】
【０００１】
背面投写型表示装置に用いられるレンチキュラーレンズシート及び背面投写型スクリーンに関する。
【背景技術】
【０００２】
背面投写型表示装置には、映像表示装置と背面投写型スクリーンが用いられている。そして、背面投写型スクリーンには、一般にフレネルレンズシートとレンチキュラーレンズシートが用いられている。さらに出射側に前面シートが設けられることもある。また外光反射によるコントラストの低下を防ぐため、レンチキュラーレンズシートの観察側には外光吸収層が設けられている。
【０００３】
一般に、背面投写型スクリーンは、水平方向の視野角が垂直方向の視野角に比べて広くなるよう設計されている。そのため、一般的なレンチキュラーレンズシートは、水平方向の視野角が広くなるように映像光を水平方向に拡散するレンチキュラーレンズを備えている。そして、垂直方向の視野角を確保するために、映像光を垂直方向へも拡散させる光拡散材をレンチキュラーレンズシートに混入している。
【０００４】
近年、映像表示装置としてはＣＲＴ式の他、液晶（ＬＣＤ）やデジタルミラーデバイス（ＤＭＤ）などのマイクロディスプレイ（ＭＤ）が用いられている。特にこれらＭＤ用レンチキュラーレンズは、レンズピッチを例えば０．３ｍｍ以下に小さくすることが要求されている。高精細化のためや、画素とレンチキュラーレンズが干渉して発生するモアレの問題を回避するためである。市販されているレンチキュラーレンズシートでは、そのレンズピッチが０．１５ｍｍ以下の場合すらある。
【０００５】
一般的な光透過性樹脂（屈折率１．５〜１．６）を使用し、入射面のみにレンズを備え、出射面側に外光吸収層のパターンが設けられ、ピッチを０．３（０．１５）ｍｍとしたレンチキュラーレンズで、必要とされる水平視野半値角３０〜４０°程度を実現しようとすると、その厚みは０．４（０．２）ｍｍ程度となる。この厚みであると、以下のような問題がある。
【０００６】
（１）剛性不足
強度不足のため取り扱いが困難であり、損傷などの問題が生じる。また自立できないため、出射側に前面シートが必要となる。そのため部品点数が増加し、また、貼り合せや重ね合わせの工程が増加することによりコスト高になる。
【０００７】
（２）成形性
スクリーンシートの成形には熱可塑性樹脂による押出し成形が多用されているが、厚み０．４ｍｍ以下の微細なレンズシートを押出し成形法で製造することは困難である。特に両面にレンズなどのパターンを持つレンズシートを押出し成形法で製造することは困難である。また紫外線硬化性樹脂を用いたいわゆる２Ｐ成形法であれば厚み０．４ｍｍ以下の微細なレンズシートを成型することが可能であるが、樹脂材料が高価なためコスト高になる。
【０００８】
一方、入射面および出射面の両方にレンズを備えることにより、レンズピッチが０.３ｍｍ程度であっても一定以上の厚みを確保する技術が特許文献１などに公開されている。
【０００９】
しかし、両面賦形レンズシートにおいては入射面レンズと出射側レンズそれぞれの光軸を一致させる必要がある。押出し成形法ではその光軸精度が±５μｍ程度であるため、光軸ずれによって視野角が非対称になる、などの問題が生じる。２Ｐ成形法においても光軸精度に起因する同様な問題が生じる。
【００１０】
また、水平および垂直方向に映像光を拡散する微細なレンズを２次元配列したいわゆるハエの目レンズシートが特許文献２などに開示されている。しかし微細な曲面形状を有する大面積の成形型を製造することは困難であり、効率的に製造することが難しい。
【００１１】
さらに、入射面に垂直方向に映像光を拡散するレンズを備え、出射面に水平方向に映像光を拡散するレンズを備えたレンズシートが特許文献３の図１２に開示されている。しかしながら、特許文献３では、構造のみが図示されているだけであり、レンズピッチ、シート厚み等は記載されていない。
【００１２】
【特許文献１】特開平９−８０２１０号公報
【特許文献２】特開２０００−１１１７０８号公報
【特許文献３】特開平７−１６８２８２号公報
【発明の開示】
【発明が解決しようとする課題】
【００１３】
上述のように、従来のレンチキュラーレンズシートによれば、剛性や成形性、さらには、光軸ずれ等の問題があった。
【００１４】
本発明は、かかる課題を解決するためになされたものであり、剛性が高く、成形性がよく、さらには、光軸ずれに対して許容範囲が広いレンチキュラーレンズシート及び背面投写型スクリーンを提供することを目的とする。
【課題を解決するための手段】
【００１５】
本発明にかかるレンチキュラーレンズシートは、背面投写型スクリーンにおいて最も出射面側に設けられるレンチキュラーレンズシートであって、入射面側に設けられ、垂直方向に映像光を拡散させる垂直視野角形成用レンズと、出射面側に設けられ、水平方向に映像光を拡散させる水平視野角形成用レンズとを備え、前記垂直視野角形成用レンズの頂点と前記水平視野角形成用レンズの頂点の間の距離により表わされるシート厚みを０．４ｍｍ以上２．０ｍｍ以下とし、前記垂直視野角形成用レンズのピッチを０．４ｍｍ以下とし、前記水平視野角形成用レンズのピッチを０．４ｍｍ以下としたものである。
【００１６】
ここで、前記シート厚みを０．４ｍｍ以上１．４ｍｍ以下とすることが好ましい。また、前記垂直視野角形成用レンズのレンズピッチを０．３ｍｍ以下とするとよい。さらに、前記水平視野角形成用レンズのレンズピッチを０．３ｍｍ以下とするとよい。
【００１７】
また、出射面側の映像光の非透過部分に外光吸収層を設け、前記出射面に対する外光吸収層の比率を５０％以上としてもよい。さらに、前記レンチキュラーレンズシートの内部に拡散層を設けるようにしてもよい。
【００１８】
本発明にかかる背面投写型スクリーンは、上述のレンチキュラーレンズシートと、入射面に水平方向に映像光を拡散させる水平視野角形成用レンズが形成され、出射面にフレネルレンズが形成されたフレネルレンズシートを備え、前記レンチキュラーレンズシートを前記フレネルレンズシートの出射面側に配置したものである。
【発明の効果】
【００１９】
本発明によれば、剛性が高く、成形性がよく、さらには、光軸ずれに対して許容範囲が広いレンチキュラーレンズシート及び背面投写型スクリーンを提供することができる。
【発明を実施するための最良の形態】
【００２０】
発明の実施の形態１．
図１は、本発明の実施の形態１にかかるレンチキュラーレンズシートの一部の構成を示す斜視図である。このレンチキュラーレンズシート１は、背面投写型表示装置において背面投写型スクリーンを構成する一部品として、フレネルレンズシートとともに用いられるが、剛性が高いため、前面板が不要である。従って、背面投写型スクリーンにおいて、レンチキュラーレンズシート１は、最も出射面（観察者）側に位置している。
【００２１】
図１に示されるように、本実施の形態１にかかるレンチキュラーレンズシート１では、映像光１００が入射される入射面に凸状の垂直視野角形成用レンズ（ＶＬ）１１が形成され、出射面に水平視野角形成用レンズ（ＨＬ）１２と外光吸収部１３が設けられている。また、外光吸収部１３の頂部には、外光吸収層１３１が形成されている。
【００２２】
垂直視野角形成用レンズ１１は、映像光１００を垂直方向に拡散するシリンドリカルレンズより構成されている。垂直視野角形成用レンズ１１を構成するシリンドリカルレンズは、映像光１００を水平視野角形成用レンズ１２のレンズ面の近傍において集光させ、その後に拡散させる。即ち、垂直視野角形成用レンズ１１の焦点は、水平視野角形成用レンズ１２のレンズ面の近傍にある。シリンドリカルレンズは、レンチキュラーレンズシート１が背面投写型表示装置に固定された状態において、その長手方向が水平になるように、互いに平行に配置されている。
【００２３】
垂直視野角形成用レンズ１１の焦点位置は、外光吸収部１３の頂部付近がよい。垂直視野角形成用レンズ１１で集光した光が外光吸収部１３の頂部に設けられた外光吸収層１３１でけられにくくなるためである。
【００２４】
垂直視野角形成用レンズ１１は略楕円形であることが好ましく、その焦点位置は外光吸収部１３の頂部付近からシート厚みの２０％出射側の範囲内にあることが好ましい。出射窓を狭くでき、外光吸収層１３１の面積比率、即ちＢＳ比率を上げることができるためである。
【００２５】
本実施の形態１にかかるレンチキュラーレンズシート１のレンズは、高精細である。より具体的には、本実施の形態１にかかる垂直視野角形成用レンズ１１のピッチＶＬｐは、ＶＬｐ≦０．４ｍｍであることが好ましく、さらにＶＬｐ≦０．３ｍｍであることが好ましい。また、本実施の形態１にかかる水平視野角形成用レンズ１２のピッチＨＬｐは、ＶＬｐ以下であることが好ましく、より具体的には、ＨＬｐ≦０．４ｍｍであることが好ましく、さらにＨＬｐ≦０．３ｍｍであることが好ましい。水平視野角形成用レンズ１２のピッチが大きすぎると、レンズの谷の部分を通る映像光が凸状の外光吸収部１３に遮られるという不具合が発生しやすくなる。さらには、ＭＤ用スクリーンでは粒の小さな輝度ムラ、いわゆる「ぎらつき」が解決すべき課題となっているが、この「ぎらつき」の低減および解像度低下の防止の点から、当該ピッチは小さい方が好ましい。
【００２６】
水平視野角形成用レンズ１２は、映像光１００を水平方向に拡散するシリンドリカルレンズより構成されている。かかるシリンドリカルレンズは、レンチキュラーレンズシート１が背面投写型表示装置に固定された状態において、その長手方向が垂直になるように、互いに平行に配置されている。水平視野角形成用レンズ１２は、外光吸収層等によるけられを考慮する必要がないので、１点集光でなくてもよい。水平視野角形成用レンズ１２は、台形状であってもよい。
【００２７】
本実施の形態１にかかるレンチキュラーレンズシート１では、入射面に垂直視野角形成用レンズ１１を、出射面に水平視野角形成用レンズ１２をそれぞれ設けている。上述のように、垂直視野角形成用レンズ１１の焦点が水平視野角形成用レンズ１２のレンズ面近傍にあることが要求されるが、背面投写型表示装置では、垂直視野角は水平視野角よりも小さくてもよいため焦点までの距離を比較的長くすることができるので、水平視野角形成用レンズをレンチキュラーレンズシート１の入射面に形成した場合と比較して、シートの厚みを厚くすることができる。なお、本発明の実施の形態においてシートの厚みとは、入射面に設けられたレンズ１１と出射面に設けられたレンズ１２とのそれぞれの頂部間の距離をいう。
【００２８】
具体的には、本実施の形態１にかかるレンチキュラーレンズシート１の厚みＴは、０．４ｍｍ以上２．０ｍｍ以下であることが好ましく、より好ましくは、０．４ｍｍ以上１．４ｍｍ以下である。このような厚みを有することによって、剛性を高くでき、取り扱いを容易にすることができ、損傷などの問題の発生を抑制できる。さらには、このような厚みを有するので、自立可能であり、出射側に前面シートを設ける必要がなく、コスト削減を図ることができる。
【００２９】
本実施の形態１にかかるレンチキュラーレンズ１において、垂直視野角形成用レンズ１１の好ましい視野角範囲は、αｖ（垂直輝度１／２角）＝８〜１５°，βｖ（垂直輝度１／３角）＝１０〜２０°，γｖ（垂直輝度１／１０角）＝１５〜３０°であり、水平視野角形成用レンズ１２の視野角範囲はαｈ（水平輝度１／２角）＝２５〜４０°，βｈ（水平輝度１／３角）＝３０〜４５°，γｈ（水平輝度１／１０角）＝４０〜６０°である。これにより、実用的な視野角を確保することができる。
【００３０】
このような視野角を満たすためには、垂直視野角形成用レンズ１１は、次の式により特定される形状を有することが好ましい。
Ｃ＝１／{ｆ・（１−ｎ１／ｎ２）}
Ｋ＝−{（ｎ１／ｎ２）２}
ただし、Ｃ：レンズの曲率
Ｋ：レンズの円錐定数
ｆ：焦点距離（mm）（≒レンズ頂部間距離）
ｎ１：空気屈折率（＝１）
ｎ２：垂直視野角形成用レンズ１１の基材の屈折率（＝１．５〜１．６程度）
【００３１】
本実施の形態１にかかるレンチキュラーレンズ１の入射面側に用いられるフレネルレンズシートの好ましい拡散性は、垂直方向の拡散視野角範囲はαｖ＝０〜２．５°，βｖ＝０〜２．７°，γｖ＝０〜３．５°であり、水平方向の拡散視野角範囲はαｈ＝４．８〜１１．５°，βｈ＝５．３〜１２．６°，γｈ＝６．４〜１５．４°である。これにより、フレネルレンズシートで拡散した光がレンチキュラーレンズ１の外光吸収部１３でけられにくく、かつ、前記した「ぎらつき」を小さくする効果があるためである。
【００３２】
外光吸収部１３は、垂直視野角形成用レンズ１１からの光が集光しない非集光部に設けられ、凸状に出射面より突出して形成されている。外光吸収部１３の頂部は、レンチキュラーレンズシート１の主面に対して平行な平坦面が形成されている。また、外光吸収部１３の頂部には、外光吸収層１３１が形成されている。外光吸収層１３１は、例えば、ロール印刷、スクリーン印刷、転写印刷などの手段により形成され、黒色塗料などから構成される。外光吸収部１３は、図１に示されるように凸状で水平視野角形成用レンズ１２の頂点より高い方がよい。安コストなロール印刷やスクリーン印刷が適用できるためである。
【００３３】
また、外光吸収層１３１は、いわゆる自己整列式手法により形成してもよい。具体的には、レンチキュラーレンズシート１の出射面に遮光性光硬化型樹脂を塗工したフィルムを貼り合せる。そして、レンチキュラーレンズシート１の入射面から紫外線を照射する。そうすると、紫外線の集光部の遮光性光硬化樹脂は硬化する。紫外線の非集光部における遮光性光硬化性樹脂は、出射面上に未硬化のまま残る。紫外線の集光部における遮光性光硬化性樹脂は、フィルムを剥離すると、当該フィルムに固着して剥離される。次に、非集光部の未硬化の遮光性光硬化樹脂をレンチキュラーレンズシート１の出射面側から放射線を照射して硬化させる。これにより外光吸収層１３１が形成される。
【００３４】
かかる外光吸収層１３１は、レンチキュラーレンズシート１が背面投写型表示装置に固定された状態において、その長手方向が水平になるように、互いに平行な複数のストライプよりなる。本実施の形態にかかるレンチキュラーレンズシートの出射面全体に対する外光吸収層１３１の面積割合、即ちＢＳ比率は５０％以上であることが好ましく、さらには６０％以上であることが好ましい。これにより、コントラストを高くすることができる。
【００３５】
図２に、本実施の形態にかかるレンチキュラーレンズシート１を含む背面投写型スクリーンの断面図を示す。レンチキュラーレンズシート１の入射面側には、フレネルレンズシート２が設けられている。フレネルレンズシート２のシート厚みは、例えば、１．５ｍｍ以上２．５ｍｍ以下である。
【００３６】
フレネルレンズシート２の入射面には、複数列のシリンドリカルレンズ２１が設けられていてもよい。このシリンドリカルレンズ２１は、入射した映像光１００を水平方向に拡散する。また、シリンドリカルレンズ２１は、フレネルレンズシート２が背面投写型表示装置に固定された状態において、その長手方向が垂直になるように、互いに平行に配置されている。当該シリンドリカルレンズ１２のレンズピッチは、例えば、３０μｍ以上５０μｍ以下であり、レンチキュラーレンズシート１に形成されたレンズピッチよりも短いことが望ましい。
【００３７】
フレネルレンズシート２の出射面には、フレネルレンズ２２が形成されている。フレネルレンズ２２は、入射した映像光１００を平行光又は集束光に変換する。
【００３８】
レンチキュラーレンズシート１１の内部、即ち、その入射面及び出射面から所定距離内側に離間した領域に、拡散材よりなる拡散層１４が設けられている。拡散層１４は、出射面側寄りに配置されていることが好ましい。また、拡散層１４の基材と拡散材との屈折率差Δｎは−０．０４〜−０．０１又は＋０．０１〜＋０．０４、拡散材の平均粒径φは３〜２０μm、濃度は２〜２０重量％、拡散層の厚みは０．１〜１．０ｍｍであることが望ましい。特に、Δｎは＋０．０２〜０．０３、φは５〜１０μm、濃度は５〜１０重量％、拡散層の厚みは０．２〜０．４ｍｍであることが望ましい。
【００３９】
図３に示されるように、本実施の形態１にかかるレンチキュラーレンズシートにおいて、その入射面に設けられた垂直視野角形成用レンズ１１の光軸は、出射面に設けられた、光吸収部１３の間の中央に位置することが望ましいが、両者の間に光軸ずれΔｘが発生する場合がある。本発明では、出射面には映像光が透過する領域に、垂直方向に同一の形状を有する水平視野角形成用レンズ１２を設けているので、光軸ずれに対する許容範囲が広い。より具体的には、Δｘは、±５μｍ以下であれば、問題が発生しない。
【００４０】
上述のような構成のレンチキュラーレンズシート１を製造するための金型に関して、入射面成形型は、ロール成形型の円周方向に垂直視野角形成用レンズ１１を切削することによって製造できる。また、出射面成形型は、外光吸収部１３を円周方向に切削した後、ロール軸方向に水平視野角形成用レンズ１２を切削することによって製造できる。型のバリや変形を考えると、このように外光吸収部１３の切削を水平視野角形成用レンズ１２の切削よりも先に行う方がよいが、後に行うようにしてもよい。当該レンチキュラーレンズシート１は、好適には、安コストな押出し成形により形成される。
【００４１】
発明の実施の形態２．
発明の実施の形態１にかかるレンチキュラーレンズシートでは、水平視野角形成用レンズ１２とは別に矩形状の外光吸収部１３を設けたが、本発明の実施の形態２では、水平視野角形成用レンズ１２上に外光吸収層１３１を直接形成することによって外光吸収部１３を形成した。
【００４２】
図４に、本実施の形態２にかかるレンチキュラーレンズシートの概略断面図を示す。図に示されるように、当該レンチキュラーレンズシート１の出射面には、水平視野角形成用レンズ１２を構成する複数のシリンドリカルレンズが形成され、その上に直接にロール印刷、スクリーン印刷、転写印刷などの手段により、黒色塗料が塗布されて、外光吸収層１３１が形成される。また、外光吸収層１３１は、いわゆる自己整列式手法により形成してもよい。
【００４３】
このような構成のレンチキュラーレンズシートにおいて、発明の実施の形態１において説明したレンズピッチ、シート厚み、レンズ形状であることによって、剛性が高く、成形性がよく、さらには、光軸ずれに対して許容範囲を広くすることができる。
【００４４】
実施例１．
実施例１として、図１に示すような形状のレンチキュラーレンズシートを押出し成形法により作製した。シート基材はメタクリル−スチレン共重合体樹脂であり、その屈折率は１．５４である。実施例１にかかるレンチキュラーレンズにおいて、垂直視野角形成用レンズ１１のレンズピッチＶＬｐ＝０．２６５ｍｍ、水平視野角形成用レンズ１２のレンズピッチＨＬｐ＝０．２６５ｍｍ、シート厚みＴ＝１．２ｍｍである。出射面の光透過部分以外の場所には外光吸収部１３が設けられ、その表面には外光吸収層１３１が形成されている。外光吸収層１３１の面積比率は６５％である。
【００４５】
また、垂直視野角形成用レンズ１１のレンズ形状はＸを垂直視野角形成用レンズの頂部から垂直方向の距離とし、Yを垂直視野角形成用レンズの頂部からの高さとすると、次式で表わすことができる。式において、単位はmmである。Ｘの範囲は−０．１３２５〜＋０．１３２５ｍｍである。
Ｙ＝Ｃ＊Ｘ２／（１＋（１−（Ｋ＋１）＊Ｃ２＊Ｘ２）１／２）
Ｃ＝２．３８５１６４５Ｅ＋００
Ｋ＝−４．２３３０３９０Ｅ−０１
【００４６】
水平視野角形成用レンズ１２のレンズ形状については、Ｘを水平視野角形成用レンズの頂部から水平方向の距離とし、Ｙを水平視野角形成用レンズの頂部からの高さ（出射面から入射面への方向を正方向）とすると、次式ＡおよびＢで表わすことができる。式ＡおよびＢにおいて、単位はmmである。
【００４７】
まず、式Ａはレンズ中央部のＸ＝−０．０２３９〜＋０．０２３９ｍｍの範囲のＹを規定し、この範囲で出射部は平らな形状であることを示す。
次に、式Ｂは、レンズ端部のＸ＝−０．１３２５〜−０．０２３９ｍｍ及びＸ＝＋０．０２３９〜＋０．１３２５ｍｍの範囲のレンズ形状を規定する。
Ｙ＝０・・・（Ａ）
ただしＸ＝−０．０２３９〜＋０．０２３９ｍｍの範囲
Ｙ＝Ｃ＊Ｘ２／（１＋（１−（Ｋ＋１）＊Ｃ２＊Ｘ２）１／２）・・・（Ｂ）
＋Ｄ＊|Ｘ|＋Ｅ＊|Ｘ|２＋Ｆ＊|Ｘ|３＋Ｇ＊|Ｘ|４
＋Ｈ＊|Ｘ|５＋Ｊ＊|Ｘ|６＋Ｌ＊|Ｘ|７＋Ｍ＊|Ｘ|８
＋Ｎ＊|Ｘ|９＋Ｐ＊|Ｘ|１０
ただしＸ＝−０．１３２５〜−０．０２３９ｍｍ及びＸ＝＋０．０２３９〜＋０．１３２５ｍｍの範囲
Ｃ＝０．０００００００Ｅ＋００
Ｋ＝０．０００００００Ｅ＋００
Ｄ＝−１．８３２１１９３Ｅ＋００
Ｅ＝２．６４３９８５１Ｅ＋０２
Ｆ＝−１．７２５７６７６Ｅ＋０４
Ｇ＝６．５５８４９３６Ｅ＋０５
Ｈ＝−１．５３６０１５６Ｅ＋０７
Ｊ＝２．２７９６９１２Ｅ＋０８
Ｌ＝−２．１４４８４８５Ｅ＋０９
Ｍ＝１．２３８４４２０Ｅ＋１０
Ｎ＝−４．００２０８８６Ｅ＋１０
Ｐ＝５．５４１９１６３Ｅ＋１０
ここで、|Ｘ|は、変数Ｘの絶対値を示す。ｍＥ＋ｎはｍ×10ｎを示す。
【００４８】
また、拡散層は、最出射面側に配置し、屈折率１．５４の基材中にΔｎが０．０２、φが８μmである拡散材を濃度８％で含有したもので、その厚みは０．２ｍｍである。
【００４９】
以上のレンチキュラーレンズシートであれば、αｖ≒βｖ≒γｖ≒０°、αｈ＝９．６°、βｈ＝１０．５°、γｈ＝１２．８°のフレネルとの組合わせで、視野角がαｈ＝２８°、βｈ＝３４°、γｈ＝４６°、αｖ＝１２．０°、βｖ＝１５．０°、γｖ＝２２．２°である。
【００５０】
本実施例によれば、視野角が広く、剛性が高く、コントラストに優れたレンチキュラーレンズシートを提供できる。
【００５１】
また、この場合には、垂直視野角形成用レンズ１１と外光吸収層の間、つまり開口部との光軸ずれが２０μm程度であっても問題が生じない。
【００５２】
実施例２．
実施例２として、図１に示すような形状のレンチキュラーレンズシートを２Ｐ成形法により作製した。基材シートとしてＰＥＴ（ポリエチレンテレフタレート）フィルムを使用し、その両面に紫外線硬化性樹脂でレンズおよび光吸収部を成形した。紫外線硬化性樹脂の屈折率は１．５４である。
【００５３】
実施例２にかかるレンチキュラーレンズにおいて、垂直視野角形成用レンズ１１のレンズピッチＶＬｐ＝０．１５０ｍｍ、水平視野角形成用レンズ１２のレンズピッチＨＬｐ＝０．０８０ｍｍ、シート厚みＴ＝０．６８０ｍｍである。出射面の光透過部分以外の場所には外光吸収部１３が設けられ、その表面には外光吸収層１３１が形成されている。外光吸収層１３１の面積比率は６５％である。
【００５４】
また、垂直視野角形成用レンズ１１のレンズ形状はＸを垂直視野角形成用レンズの頂部から垂直方向の距離とし、Yを垂直視野角形成用レンズの頂部からの高さとすると、次式で表わすことができる。式において、単位はmmである。Ｘの範囲は−０．０７５〜＋０．０７５ｍｍである。
Ｙ＝Ｃ＊Ｘ２／（１＋（１−（Ｋ＋１）＊Ｃ２＊Ｘ２）１／２）
Ｃ＝４.２１３７９０６Ｅ＋００
Ｋ＝−４．２３３０３９０Ｅ−０１
【００５５】
水平視野角形成用レンズ１２のレンズ形状については、Ｘを水平視野角形成用レンズの頂部から水平方向の距離とし、Ｙを水平視野角形成用レンズの頂部からの高さ（出射面から入射面への方向を正方向）とする。まず、レンズ中央部のＸ＝−０．００９５〜＋０．００９５ｍｍの範囲は平らな形状で、Ｙ＝０である。また、レンズ端部のＸ＝−０．０４００〜−０．００９５ｍｍ及びＸ＝＋０．００９５〜＋０．０４００ｍｍの範囲は傾いた平らな形状である。そして、当該傾いた平らな形状は次式で表わすことができる。
Ｙ＝Ｄ＊|Ｘ|＋Q
ただしＸ＝−０．０４００〜−０．００９５ｍｍ及びＸ＝＋０．００９５〜＋０．０４００ｍｍの範囲
D=６.６８４１８１５Ｅ−０１
Q＝−６.３４９９７２４Ｅ−０３
ここで、|Ｘ|は、変数Ｘの絶対値を示す。ｍＥ＋ｎはｍ×10ｎを示す。
また、拡散層は、最出射面側に配置し、屈折率１．５４の基材中にΔｎが０．０２、φが８μmである拡散材を濃度８％で含有したもので、その厚みは０．２ｍｍである。
【００５６】
このとき、αｖ≒βｖ≒γｖ≒０°、αｈ＝１０°、βｈ＝１１°、γｈ＝１３°のフレネルとの組合わせで、視野角がαｈ＝３４°、βｈ＝３９°、γｈ＝４８°、αｖ＝１２°、βｖ＝１５°、γｖ＝２２°である。
【図面の簡単な説明】
【００５７】
【図１】本発明の実施の形態にかかるレンチキュラーレンズシートの一部の構成を示す斜視図である。
【図２】本実施の形態にかかるレンチキュラーレンズシート１を含む背面投写型スクリーンの断面図である。
【図３】本発明の実施の形態にかかるレンチキュラーレンズシートを断面を示す説明図である。
【図４】本発明の実施の形態にかかるレンチキュラーレンズシートを断面を示す説明図である。
【符号の説明】
【００５８】
１  レンチキュラーレンズシート
２  フレネルレンズシート
１１  垂直視野角形成用レンズ
１２  水平視野角形成用レンズ
１３  外光吸収部
１３１  外光吸収層
【図１】
2007156140.tif 000003
【図２】
2007156140.tif 000004
【図３】
2007156140.tif 000005
【図４】
2007156140.tif 000006